(57)【特許請求の範囲】
【請求項１】
携帯端末の外面に設けられる複数の被保護部を露出させた状態で保護する携帯端末の保護用アタッチメントであって、
前記携帯端末の一部を覆う本体部と、
前記本体部からそれぞれ延出して前記携帯端末への組み付け時に当該携帯端末を介して対向する一対の延出片と、
前記一対の延出片の延出端同士を連結する連結部と、
を備え、
前記本体部および前記一対の延出片には、前記複数の被保護部をそれぞれ露出させる複数の開口が形成され、
前記携帯端末の一面には、使用者に把持される把持部と異なる位置に表示画面が設けられ、
前記本体部は、前記携帯端末の一部として、前記把持部を除き前記表示画面の周囲を覆うように形成され、
前記連結部は、前記携帯端末への組み付け時に前記表示画面が設けられる面と異なる裏面を覆う位置のみに配置されることを特徴とする携帯端末の保護用アタッチメント。
【請求項２】
前記携帯端末は、情報コードからの反射光を読取口を介して受光することで当該情報コードを光学的に読み取る読取部を備え、
前記複数の被保護部の１つは、前記読取口であることを特徴とする請求項１に記載の携帯端末の保護用アタッチメント。
【発明の詳細な説明】
【技術分野】
【０００１】
本発明は、携帯端末の保護用アタッチメントに関するものである。
【背景技術】
【０００２】
近年、携帯端末の高性能化等に伴い、その耐衝撃性の更なる向上が求められている。携帯端末に対する耐衝撃性の向上を図るための保護用アタッチメントとして、例えば、下記特許文献１に開示される保護用アタッチメントが知られている。この保護用アタッチメントは、長方形の枠状に形成される枠体と上下の内フランジとを弾性材料により一体成形して構成されている。この保護用アタッチメントが電子機器の表面および裏面を除く側面に対して環状に覆うように組み付けられることで、その電子機器の耐衝撃性を向上させている。
【先行技術文献】
【特許文献】
【０００３】
【特許文献１】特許第４５７３７４０号公報
【発明の概要】
【発明が解決しようとする課題】
【０００４】
しかしながら、上述のように保護用アタッチメントが携帯端末を環状に覆うように組み付けられる構成では、保護用アタッチメントのために携帯端末の小型軽量化が阻害されるという問題がある。特に、携帯端末を操作する際に把持する把持部まで保護用アタッチメントにより覆われてしまうと、操作性が悪化する可能性がある。一方で、把持部などの保護が不要な部分を除き、保護が必要な突出している部材（例：トリガボタン）等の被保護部に対してそれぞれ個別に保護部材を組み付けて保護する構成では、小型軽量化の阻害要因となりにくくなるものの、保護対象部位が増えるほど各保護部材を携帯端末に組み付ける作業が煩雑になるという問題が生じる。
【０００５】
本発明は、上述した課題を解決するためになされたものであり、その目的とするところは、大型化を招くことなく組み付け作業を容易に実施可能な携帯端末の保護用アタッチメントを提供することにある。
【課題を解決するための手段】
【０００６】
上記目的を達成するため、特許請求の範囲の請求項１に記載の発明は、携帯端末（１０）の外面に設けられる複数の被保護部（１７ａ，１７ｂ，１８）を露出させた状態で保護する携帯端末の保護用アタッチメント（２０，２０ａ）であって、前記携帯端末の一部を覆う本体部（２１）と、前記本体部からそれぞれ延出して前記携帯端末への組み付け時に当該携帯端末を介して対向する一対の延出片（２２，２３）と、前記一対の延出片の延出端（２２ｂ，２３ｂ）同士を連結する連結部（２４，２４ａ）と、を備え、前記本体部および前記一対の延出片には、前記複数の被保護部をそれぞれ露出させる複数の開口（２５ａ〜２５ｃ）が形成され、前記携帯端末の一面には、使用者に把持される把持部と異なる位置に表示画面が設けられ、前記本体部は、前記携帯端末の一部として、前記把持部を除き前記表示画面の周囲を覆うように形成され、前記連結部は、前記携帯端末への組み付け時に前記表示画面が設けられる面と異なる裏面を覆う位置のみに配置されることを特徴とする。
なお、上記各括弧内の符号は、後述する実施形態に記載の具体的手段との対応関係を示すものである。
【発明の効果】
【０００７】
請求項１の発明では、携帯端末の一部を覆う本体部と、この本体部からそれぞれ延出して携帯端末への組み付け時に当該携帯端末を介して対向する一対の延出片と、これら一対の延出片の延出端同士を連結する連結部と、が設けられている。本体部および一対の延出片には、複数の被保護部をそれぞれ露出させる複数の開口が形成される。そして、携帯端末の一面には、使用者に把持される把持部と異なる位置に表示画面が設けられ、本体部は、携帯端末の一部として、把持部を除き表示画面の周囲を覆うように形成される。
【０００８】
これにより、保護用アタッチメントを携帯端末に組み付けることで、本体部および一対の延出片により携帯端末の外面の複数の被保護部となる表示画面等が露出された状態で保護される一方で、把持部を除くように携帯端末の一部のみが覆われる。このため、保護用アタッチメントにより携帯端末の全周が覆われる場合と比較して、保護用アタッチメントの小型軽量化、すなわち、保護用アタッチメントを組み付けた携帯端末の小型軽量化を図ることができる。特に、一対の延出片の延出端同士が連結部により連結されるため、保護用アタッチメントの携帯端末への組み付け時に一方の延出片の延出端と他方の延出片の延出端とが離れてしまうこともないので、組み付け作業を容易に実施することができる。したがって、大型化を招くことなく組み付け作業を容易に実施可能な携帯端末の保護用アタッチメントを実現することができる。
【００１１】
特に、連結部は、携帯端末への組み付け時に表示画面が設けられる面と異なる裏面を覆う位置のみに配置されるため、表示画面が連結部により覆われて隠されることを防止することができる。
【００１２】
請求項２の発明では、携帯端末は、情報コードからの反射光を読取口を介して受光することで当該情報コードを光学的に読み取る読取部を備えており、上記複数の被保護部の１つは、読取口として構成される。このように、保護対象である携帯端末が情報コードを光学的に読み取る機能を有するように構成されても、その読取口を保護し、さらに、大型化を招くことなく組み付け作業を容易に実施可能な携帯端末の保護用アタッチメントを実現することができる。
【図面の簡単な説明】
【００１３】
【図１】第１実施形態に係る保護用アタッチメントを携帯端末に組み付けた状態を示す外観図である。
【図２】保護用アタッチメントを組み付けた携帯端末を裏面側からみた裏面図である。
【図３】保護用アタッチメントを組み付けた携帯端末を読取部側からみた側面図である。
【図４】図１の保護用アタッチメントの詳細形状を示す外観図である。
【図５】図４の保護用アタッチメントを裏面側からみた裏面図である。
【図６】図４の保護用アタッチメントを本体部側からみた側面図である。
【図７】図４の保護用アタッチメントを連結部側からみた側面図である。
【図８】第２実施形態に係る保護用アタッチメントを携帯端末に組み付けた状態を示す正面図である。
【図９】図８の保護用アタッチメントの詳細形状を示す正面図である。
【発明を実施するための形態】
【００１４】
［第１実施形態］
以下、本発明の保護用アタッチメントを具現化した第１実施形態について、図面を参照して説明する。なお、図１は、第１実施形態に係る保護用アタッチメント２０を携帯端末１０に組み付けた状態を示す外観図であり、図１（Ａ）は正面図を示し、図１（Ｂ）は側面図を示す。図２は、保護用アタッチメント２０を組み付けた携帯端末１０を裏面側からみた裏面図である。図３は、保護用アタッチメント２０を組み付けた携帯端末１０を読取部側からみた側面図である。
本実施形態に係る保護用アタッチメント２０は、携帯端末１０を保護するため当該携帯端末１０に対して着脱可能に構成されるアタッチメントである。
【００１５】
まず、保護用アタッチメント２０の保護対象である携帯端末１０について、図１〜図３を参照して説明する。
携帯端末１０は、ユーザによって携帯されて様々な場所で情報を読み取るために用いられる携帯型の情報端末である。この携帯端末１０は、例えば、バーコードや二次元コードなどの情報コードを光学的に読み取る情報コードリーダとしての機能と、無線タグを電波を媒介として読み取る無線タグリーダとしての機能とを備え、読み取りを二方式で行いうるように構成されている。
【００１６】
図１〜図３に示すように、携帯端末１０は、外郭を構成する筐体１１を備えており、この筐体１１は、使用者に把持される把持部１２と、表示部１３と、読取部１４とからなる。把持部１２には情報を入力する際に操作されるキー操作部１５が設けられており、このキー操作部１５は、筐体１１の表面１１ａに配置されている。表示部１３には所定の情報が表示される表示画面１６が設けられており、この表示画面１６は、筐体１１の表面１１ａに配置されている。また、表示部１３には読取処理を開始する際に操作される２つのトリガスイッチ１７ａ，１７ｂが設けられており、トリガスイッチ１７ａは、筐体１１の側面１１ｂの中央近傍に配置され、トリガスイッチ１７ｂは、筐体１１の側面１１ｃの中央近傍に配置されている。読取部１４には情報コードからの反射光を取り込むための読取口１８が設けられており、この読取口１８は、筐体１１の裏面１１ｄの端部から斜め下方向に突出するように形成されている。
【００１７】
次に、保護用アタッチメント２０の構成について、図４〜図７を参照して説明する。なお、図４は、図１の保護用アタッチメント２０の詳細形状を示す外観図であり、図４（Ａ）は正面図を示し、図４（Ｂ）は側面図を示す。図５は、図４の保護用アタッチメント２０を裏面側からみた裏面図である。図６は、図４の保護用アタッチメント２０を本体部側からみた側面図である。図７は、図４の保護用アタッチメント２０を連結部側からみた側面図である。
【００１８】
保護用アタッチメント２０は、本体部２１と、一対の延出片２２，２３と、連結部２４とを備えており、軟質材料、例えば、ゴムやエラストマー等の弾性変形可能な材料を用いて一体成形されている。本体部２１は、底壁２１ａとこの底壁２１ａの三辺に連結する３つの側壁２１ｂ〜２１ｄとを備えており、携帯端末１０の一部、具体的には、読取部１４や表示部１３の一部を覆うように形成されている。本体部２１の底壁２１ａには、読取口１８を露出状態で保護するための開口２５ａが設けられており、この開口２５ａは、組み付け時の読取口１８を囲うように形成されている。各側壁２１ｂ〜２１ｄの表面側（上端側）は、組み付け時の筐体１１の表面１１ａの縁部に係合するようにそれぞれ形成されている。
【００１９】
一対の延出片２２，２３は、本体部２１の側壁２１ｃ，２１ｄをそのまま延出させるように設けられており、携帯端末１０への組み付け時に当該携帯端末１０を介して対向するように形成されている。一方の延出片２２は、携帯端末１０の側面１１ｂを構成する表示部１３までを覆うように形成されている。他方の延出片２３は、携帯端末１０の側面１１ｃを構成する表示部１３までを覆うように形成されている。
【００２０】
一方の延出片２２には、側面１１ｂに設けられるトリガスイッチ１７ａを露出状態で保護するための開口２５ｂが設けられており、この開口２５ｂは、組み付け時のトリガスイッチ１７ａを囲うように形成されている。また、一方の延出片２２には、開口２５ｂの四隅近傍にてそれぞれ外方に突出する４つの突起２２ａが設けられている。各突起２２ａは、トリガスイッチ１７ａの保護を目的とするもので、その突出高さが開口２５ｂから露出する状態のトリガスイッチ１７ａよりも高くなるように形成されている。
【００２１】
他方の延出片２３には、側面１１ｃに設けられるトリガスイッチ１７ｂを露出状態で保護するための開口２５ｃが設けられており、この開口２５ｃは、組み付け時のトリガスイッチ１７ｂを囲うように形成されている。また、他方の延出片２３には、開口２５ｃの四隅近傍にてそれぞれ外方に突出する４つの突起２３ａが設けられている。各突起２３ａは、トリガスイッチ１７ｂの保護を目的とするもので、その突出高さが開口２５ｃから露出する状態のトリガスイッチ１７ｂよりも高くなるように形成されている。
【００２２】
連結部２４は、一方の延出片２２の延出端２２ｂの裏面側（下端側）と他方の延出片２３の延出端２３ｂの裏面側とを連結するように、帯状に形成されている。このため、連結部２４は、組み付け時の携帯端末１０に対して、その裏面１１ｄの一部を覆う位置に配置されることとなる。
【００２３】
このように形成される保護用アタッチメント２０は、携帯端末１０に対して、両延出片２２，２３を読取部１４から側面１１ｂ，１１ｃに沿わせるように組み付ける。そして、読取口１８が開口２５ａから露出しトリガスイッチ１７ａ，１７ｂが開口２５ｂ，２５ｃからそれぞれ露出するまで移動させることで、保護用アタッチメント２０の携帯端末１０への組み付けが完了する。
【００２４】
以上説明したように、本実施形態に係る保護用アタッチメント２０では、携帯端末１０の一部を覆う本体部２１と、この本体部２１からそれぞれ延出して携帯端末１０への組み付け時に当該携帯端末１０を介して対向する一対の延出片２２，２３と、これら一対の延出片２２，２３の延出端２２ｂ，２３ｂ同士を連結する連結部２４と、が設けられている。本体部２１および一対の延出片２２，２３には、読取口１８やトリガスイッチ１７ａ，１７ｂ（複数の被保護部）をそれぞれ露出させる複数の開口２５ａ〜２５ｃが形成される。
【００２５】
これにより、保護用アタッチメント２０を携帯端末１０に組み付けることで、本体部２１および一対の延出片２２，２３により携帯端末１０の外面の読取口１８やトリガスイッチ１７ａ，１７ｂが露出された状態で保護される一方で、携帯端末１０の一部のみが覆われる。このため、保護用アタッチメントにより携帯端末１０の全周が覆われる場合と比較して、保護用アタッチメント２０の小型軽量化、すなわち、保護用アタッチメント２０を組み付けた携帯端末１０の小型軽量化を図ることができる。特に、一対の延出片２２，２３の延出端２２ｂ，２３ｂ同士が連結部２４により連結されるため、保護用アタッチメント２０の携帯端末１０への組み付け時に一方の延出片２２の延出端２２ｂと他方の延出片２３の延出端２３ｂとが離れてしまうこともないので、組み付け作業を容易に実施することができる。したがって、大型化を招くことなく組み付け作業を容易に実施可能な携帯端末の保護用アタッチメントを実現することができる。一対の延出片が離れてしまうような構成では、本実施形態のような衝撃を保護するアタッチメントの場合、素材によっては、離れたままの形状で元に戻りにくい場合がある。その場合、アタッチメントを携帯端末に装着してもすぐに取れてしまう。そのため、この一対の延出片２２，２３があることで、形状維持しつつ組み付けもしやすい。
【００２６】
また、連結部２４は、組み付け時の携帯端末１０の裏面１１ｄを覆う位置に配置されるため、キー操作部１５や表示画面１６等が配置されやすい携帯端末１０の表面１１ａが連結部２４により覆われて隠されることを防止することができる。
【００２７】
換言すると、連結部２４は、携帯端末１０への組み付け時に表示画面１６が設けられる表面１１ａと異なる裏面１１ｄを覆う位置に配置されるため、表示画面１６等が連結部２４により覆われて隠されることを防止することができる。
【００２８】
特に、携帯端末１０は、情報コードからの反射光を読取口１８を介して受光することで当該情報コードを光学的に読み取る読取部１４を備えており、複数の被保護部の１つは、読取口１８として構成される。このように、保護対象である携帯端末１０が情報コードを光学的に読み取る機能を有するように構成されても、その読取口１８を保護し、さらに、大型化を招くことなく組み付け作業を容易に実施可能な携帯端末の保護用アタッチメントを実現することができる。
【００２９】
［第２実施形態］
次に、本発明の第２実施形態に係る保護用アタッチメントについて、図８および図９を参照して説明する。図８は、第２実施形態に係る保護用アタッチメント２０ａを携帯端末１０に組み付けた状態を示す正面図である。図９は、図８の保護用アタッチメント２０ａの詳細形状を示す正面図である。
本第２実施形態に係る保護用アタッチメント２０ａでは、新たに第２の連結部２４ａが設けられる点が、主に上記第１実施形態と異なる。このため、第１実施形態と実質的に同様の構成部分には同一符号を付して説明を省略する。
【００３０】
図８および図９に示すように、本実施形態に係る保護用アタッチメント２０ａでは、一方の延出片２２の延出端２２ｂと他方の延出片２３の延出端２３ｂとは、上述した連結部２４に加えて、第２の連結部２４ａにより二重に連結されている。
【００３１】
第２の連結部２４ａは、一方の延出片２２の延出端２２ｂの表面側（上端側）と他方の延出片２３の延出端２３ｂの表面側とを連結するように、帯状に形成されている。このため、第２の連結部２４ａは、組み付け時の携帯端末１０に対して、その表面１１ａの一部、具体的には、表示画面１６とキー操作部１５との間を覆う位置に配置されることとなる。
【００３２】
以上説明したように、本実施形態に係る保護用アタッチメント２０ａでは、一対の延出片２２，２３は、連結部２４と第２の連結部２４ａとにより二重に連結されるので、両延出片２２，２３同士を強固に連結することができる。
【００３３】
なお、本発明は上記各実施形態に限定されるものではなく、例えば、以下のように具体化してもよい。
（１）上記第１実施形態において、連結部２４は、一方の延出片２２の延出端２２ｂの裏面側と他方の延出片２３の延出端２３ｂの裏面側とを連結するように帯状に形成されることに限らず、例えば、上記第２の連結部２４ａと同様に、一方の延出片２２の延出端２２ｂの表面側と他方の延出片２３の延出端２３ｂの表面側とを連結するように帯状に形成されてもよい。すなわち、連結部２４に代えて第２の連結部２４ａを有するように構成される保護用アタッチメントを採用してもよい。
【００３４】
（２）連結部２４，２４ａは、帯状に形成されることに限らず、一対の延出片２２，２３の延出端２２ｂ，２３ｂ同士を連結する構成であれば、他の形状、例えば、幅寸法が段階的に変化するように形成されてもよい。
【００３５】
（３）本発明に係る保護用アタッチメント２０，２０ａは、トリガスイッチ１７ａ，１７ｂや読取口１８を被保護部として保護するように構成ことに限らず、筐体１１の他の外面に対して外方に突出する突出部等を被保護部として保護するように構成されてもよい。
【００３６】
（４）本発明に係る保護用アタッチメント２０，２０ａが保護対象とする携帯端末は、上述した読み取りを二方式で行いうる携帯端末１０に限ることなく、例えば、情報コードリーダとしての機能のみを有する携帯端末や無線タグリーダとしての機能のみを有する携帯端末であってもよいし、さらに決済機能等の別の機能を有する携帯端末であってもよい。
【符号の説明】
【００３７】
１０…携帯端末
１６…表示画面
１７ａ，１７ｂ…トリガスイッチ（被保護部）
１８…読取口（被保護部）
２０，２０ａ…保護用アタッチメント
２１…本体部
２２，２３…延出片
２４…連結部
２４ａ…第２の連結部
２５ａ〜２５ｃ…開口
【図１】
0006455033.tif 000002
【図２】
0006455033.tif 000003
【図３】
0006455033.tif 000004
【図４】
0006455033.tif 000005
【図５】
0006455033.tif 000006
【図６】
0006455033.tif 000007
【図７】
0006455033.tif 000008
【図８】
0006455033.tif 000009
【図９】
0006455033.tif 000010